(57)【要約】【課題】  大画面で薄型の液晶テレビやプラズマテレビの壁面への取り付けをより簡便にすると共に、機能性、デザイン性に優れた壁面装着ユニットを提供すること。【解決手段】  矩形パイプの１面に２条の長孔列が穿設された一対の棚柱を、最上部及び最下部にレベルアジャスターを螺着し且つ複数の壁面取付孔を穿った複数の横繋ぎ材で繋ぎ、棚柱の外側面部に長孔列穿設面より手前に面ずれして一対の化粧材を固着してなる一体的な枠体が、天井面と床面に突っ張り且つ壁面にビス止め設置されると共に、棚柱の長孔列穿設面との間に任意のすき間が設けられるよう側面部の一部又は全部を削欠した複数の小パネルを互いに上下方向に任意のすき間を空けて一対の棚柱の内寄りの長孔列に渡して装着し、外寄りの長孔列に一対のテレビ取り付け金具及び棚受ブラケットを装着する構成の薄型テレビ壁面装着ユニットを提供する。【選択図】  図１
2006060754.tif 000002
【特許請求の範囲】
【請求項１】
矩形パイプの１面に２条の長孔列が穿設された一対の棚柱を複数の壁面取付孔を穿った複数の横繋ぎ材で繋ぐと共に、該棚柱の外側面部に長孔列穿設面より手前に面ずれして一対の化粧材を固着してなる一体的な枠体に、双方の棚柱の内寄りの長孔列に渡して複数の小パネルを装着することにより、化粧材内側面と棚柱の長孔列穿設面及び小パネルの側面部とが凹部を形成し、該凹部底面に棚柱の外寄りの長孔列が覗くことを特徴とする薄型テレビ壁面装着ユニット
【請求項２】
一対の棚柱に穿たれた内寄りの長孔列に装着された複数の小パネルの側面部の一部又は全部と該棚柱の長孔列穿設面との間に任意のすき間が設けられると共に、各小パネルが互いに上下方向に任意のすき間を空けて装着されることを特徴とする請求項１の薄型テレビ壁面装着ユニット
【請求項３】
化粧材と棚柱及び小パネルにより形成された凹部の底面となる該棚柱の外寄りの長孔列の任意の箇所に、テレビメーカー指定の壁掛けユニットを取り付けるためのテレビ取付金具及び棚受ブラケットが装着できることを特徴とする請求項１の薄型テレビ壁面装着ユニット
【請求項４】
一対の棚柱を繋ぐ横繋ぎ材の最上部及び最下部にそれぞれ上向き、下向きにレベルアジャスターを螺着することにより天井面と床面に突っ張って壁面に設置されることを特徴とする請求項１の薄型テレビ壁面装着ユニット
【発明の詳細な説明】
【技術分野】
【０００１】  本発明は、テレビの設置架台に関し、特に大画面且つ薄型の液晶テレビ及びプラズマテレビの壁面への取付架台に関するものである。
【背景技術】
【０００２】  近年、テレビ画面の大型化が求められ、大画面で薄型の液晶テレビ及びプラズマテレビの需要が増大している。これに伴い各テレビメーカーは従来の箱型テレビ台に替わって各種スタンド式架台や壁掛けユニットをオプションとして販売している。しかしながら、スタンド式架台については、大画面テレビの重量を安定的に保持するためベース部分の奥行き寸法が薄型のテレビ本体の奥行き寸法に比較して格段に大きくならざるを得ず、薄型テレビの特徴を生かすことができないという欠点がある。そこで、ベース部分を必要としない壁掛けユニットが注目されている。
【発明の開示】
【発明が解決しようとする課題】
【０００３】  前述のように、大画面薄型テレビの特徴を十分に生かすには壁掛け式が望ましいのだが、壁掛け式にもいくつかの問題点があり、中でも最大の課題は各テレビメーカーがオプションとして販売する壁掛けユニットの壁面への施工に関するものである。通常、室内壁面の内装材は石膏ボードにクロス貼り仕上げであるが、石膏ボードにはビスが効かず、ボードアンカーなどの補助部材を用いても大画面テレビを保持するに十分な強度は得られないため、壁面の補強が必要となり、施工業者に依頼して内装工事を行わざるを得ない状況となっている。【０００４】  また、業者に依頼して壁掛けユニットを取り付けたとしても、設置後にテレビの位置の変更は難しく、さらに各種周辺機器の設置には別の架台が必要となるばかりか、複雑に結線した配線ケーブルが壁を伝うこととなり非常に見苦しい。
【課題を解決するための手段】
【０００５】    上記の課題を解決するため、本発明はテレビメーカーが指定する壁掛けユニットを確実且つ容易に壁面に装着し、周辺機器を設置するための棚機能を備えた全く新しい壁面ユニットを提供する。本発明の薄型テレビ壁面装着ユニットは２条の長孔列を穿設した一対の棚柱と、該棚柱を繋いで枠体とする複数の壁面取付孔を穿った複数の横繋ぎ材と、該棚柱の両外側面部に該棚柱の長孔列穿設面より手前に面ずれして設けた一対の化粧材とからなる枠体と、複数の小パネル、及び複数の棚板とで構成されている。【０００６】  複数の該小パネルは側面部の一部又は全面が削欠されており、それぞれ上下に互いに僅かの隙間を空けた状態で棚柱の２条の長孔列のうち、内寄りの長孔列に係止金具で装着され、また、枠体の最上部と最下部の横繋ぎ材にはそれぞれ上向き及び下向きにレベルアジャスターが螺着されている。
【発明の効果】
【０００７】  本発明の薄型テレビ壁面装着ユニットは以上のような構成であるので、本ユニット枠体を室内壁面に立たせ、横繋ぎ材の最上部及び最下部のレベルアジャスターを伸ばして天井と床面につっぱり式に設置すると共に、横繋ぎ材に穿たれた壁面取付孔からボードアンカーなどの補助部材を用いて壁面ボードに固定することにより、壁面の補強工事なしに大画面薄型テレビを設置する保持強度を得ることができる。【０００８】  棚柱の内寄りの長孔列に係止装着される小パネルは周辺機器への複雑な配線ケーブルを隠し、削欠された該小パネル側面部と該棚柱の長孔列の穿設面との間に生じる隙間からは、配線ケーブルが容易に取り出せる。また、小パネルの上下に設けた隙間により、該パネルを上方に僅かにずらしてパネル係止金具を外すことができるため、周辺機器の変更や追加の際には１枚の小パネルのみを自在に外すことができ、ケーブルの結線が容易にできる。【０００９】  化粧材と棚柱の長孔列穿設面及び小パネルの側面部は互いに凹部を形成し、該凹部の底面に現れる棚柱の外寄りの長孔列には、任意の高さで一対のテレビ取付金具及び棚受ブラケットを装着する。テレビ取付金具にはテレビメーカー指定の壁掛けユニットを取り付け、棚受ブラケットは任意の段数が装着でき、棚板を載せて各種周辺機器を設置することができる。
【発明を実施するための最良の形態】
【００１０】  本発明の薄型テレビ装着用壁面ユニットは、機能性、施工性のみならず、インテリアとしてのデザイン性も重視して考えられている。そこで床面に接するレベルアジャスター廻りをカバーするためシートマグネット等を粘着した金属巾木を標準品とし、オプションとしてディスク等の収納のために置き式の小型キャビネットを準備する。また、２次的要素として、別個に取り外し可能な小パネルにテレビを設置する部屋の壁面クロスと同一又は好みのクロス等を貼ることにより、一層デザイン性を高めることができる。
【実施例】
【００１１】  以下、本発明に係る薄型テレビ壁面層装着ユニットを図面に基づいて詳細に説明する。本発明に係る薄型テレビ壁面装着ユニット１の本体は、２条の長孔列が穿設された一対の棚柱３を複数の壁面取付孔４ａが穿たれた複数の横繋ぎ材４で繋ぐと共に、棚柱３の外面に該棚柱の長孔列穿設面３ｃより手前に面ずれして一対の化粧材５を溶接又はビス等で固着して構成される枠体２であり、最上部と最下部の横繋ぎ材４にはそれぞれ上向き、下向きにレベルアジャスター４ｂが螺着されている。【００１２】  上記枠体には、棚柱３の長孔列穿設面３ｃとの間に隙間が生じるよう側面部の一部を削欠した複数の小パネル６が、単独にて取り外しができるよう各々互いに上下に任意の隙間を空けて、該小パネルの裏面四隅に一体的に突設させた引っ掛け式の係止金具６ａを一対の棚柱３の内寄りの長孔列３ａに渡して係止装着されており、各種周辺機器への配線ケーブル１１を内面に隠すとともに、必要に応じて側面部の削欠部から取り出すことができる。また、機器の変更、追加の際には必要箇所の小パネル６を僅かに上方に引き上げて引っ掛け式のパネル係止金具６ａを棚柱３の長穴列３ａから外すことにより、単独で取り外すことができるため容易に新たな配線ができる。【００１３】  小パネル６を装着した状態に於いては、化粧材５の内側面と棚柱３の長孔列穿設面３ｃ及び小パネル６の側面部とが左右一対の凹部を形成しており、凹部の底面部には棚柱３の長孔列穿設面３ｃに穿たれた外寄りの長孔列３ｂのみが覗く。該長孔列に左右のテレビ取付金具７を装着し、該テレビ取付金具にテレビメーカー指定の壁掛けユニットを固定する。【００１４】  本実施例に於いては、テレビ取付金具７は上下に引っ掛け式係止金具７ａを一体的に突設し、前面部に壁掛けユニットを固定するためのネジ孔７ｂを備えた一対の縦長チャンネルであるが、各テレビメーカー指定の壁面ユニットに合わせたネジ孔を設けたものが必要となる。【００１５】  凹部の底部に覗く棚柱３の外寄りの長孔列３ｂには、テレビ取付金具７の他に棚受ブラケット８を装着し、板ガラス、木工、スチール板等の素材からなる棚板９を載せ各種周辺機器を設置する。【００１６】  最上部と最下部の横繋ぎ材４に天井面と床面に突っ張って本体を固定するために螺着されているレベルアジャスター４ｂは、通常、上方はレベル合わせのみとし、下方を伸ばして固定する。この場合、上方のレベルアジャスターは最上部に装着した小パネル６に隠れてほとんど美観を損なうことがないが、下方はむき出しとなるため、裏面にシートマグネットを粘着した金属巾木１０で覆い隠す。
【産業上の利用可能性】
【００１７】  本発明の薄型テレビ装着用壁面ユニットは、前述のように機能性、施工性に優れると共に、インテリアとしてのデザイン性も兼ね備えた製品を提供できるものであるため、今後の薄型大画面の液晶テレビやプラズマテレビの普及に伴い需要増大が見込まれる。
【図面の簡単な説明】
【００１８】
【図１】薄型テレビ装着用壁面ユニットの全体を示した斜視図
【図２】薄型テレビ装着用壁面ユニットの枠体を示した正面図
【図３】薄型テレビ装着用壁面ユニットの棚柱廻りを示す原寸大の部分平断面図  （ａ）テレビ取付金具の引っ掛け式係止金具及び小パネルのパネル係止金具部分を示す平断面図  （ｂ）配線ケーブル及び小パネル側面の削欠部分を示す平断面図
【図４】テレビ取付金具の右用を示す斜視図
【図５】小パネルを示す斜視図
【符号の説明】
【００１９】  １    薄型テレビ装着壁面ユニット
２    枠体
３    棚柱
３ａ  内寄りの長孔列
３ｂ  外寄りの長孔列
３ｃ  長孔列穿設面
４    横繋ぎ材
４ａ  壁面取付孔
４ｂ  レベルアジャスター
５    化粧材
６    小パネル
６ａ  パネル係止金具
７    テレビ取付金具
７ａ  引っ掛け式係止金具
７ｂ  ネジ孔
８    棚受ブラケット
９    棚板
１０    金属巾木
１１    配線ケーブル
【図１】
2006060754.tif 000003
【図２】
2006060754.tif 000004
【図３】
2006060754.tif 000005
【図４】
2006060754.tif 000006
【図５】
2006060754.tif 000007